(57)【要約】【課題】灯具のエイミング調整の操作性を改善し、さらにはエイミング機構を組み立てる際の作業性を改善することが可能なナット部材を提供する。【解決手段】ランプボディ１０１に軸転可能に支持されたエイミングスクリュ１２０と、リフレクタのブラケット１０９に支持されたナット部材１とで灯具のエイミング機構を構成するのに用いられるナット部材であって、ブラケット１０９に設けた嵌合穴１１０に嵌合される嵌合部３と、エイミングスクリュ１２０の雄ネジ部１２１に螺合される雌ネジ部２と、エイミングスクリュ１２０を案内するための導入部４を備え、嵌合部３と雌ネジ部２は当該ナット部材１の軸方向の異なる位置にオフセットされて形成される。【選択図】  図３
2014032742.tif 000002
【特許請求の範囲】
【請求項１】
対象物に設けた嵌合穴に嵌合される嵌合部と、スクリュが内挿されて当該スクリュの雄ネジ部に螺合される雌ネジ部とを備えるナット部材であって、前記嵌合部と前記雌ネジ部は当該ナット部材の軸方向の異なる位置に形成されていることを特徴とするナット部材。
【請求項２】
前記嵌合部は前記嵌合穴に嵌合される嵌合溝を有し、当該嵌合溝の溝底面の内側に空洞が設けられていることを特徴とする請求項１に記載のナット部材。
【請求項３】
前記雌ネジ部の前記スクリュが内挿される側の端部に、当該スクリュの先端を案内するための逆錐面状をした導入部が設けられていることを特徴とする請求項１または２に記載のナット部材。
【請求項４】
前記スクリュは灯具の固定部材に軸転可能に支持されたエイミングスクリュであり、前記ナット部材は当該灯具のリフレクタ等の傾動部材に支持されたエイミングナットとして構成されていることを特徴とする請求項１ないし３のいずれかに記載のナット部材。
【発明の詳細な説明】
【技術分野】
【０００１】
本発明は灯具の光軸方向を調整するためのエイミング機構に用いて好適なナット部材に関するものである。
【背景技術】
【０００２】
自動車のヘッドランプ等の灯具では光照射方向の基準となるランプ光軸方向を調整するためのエイミング機構が備えられており、このエイミング機構の主要な構成部材としてエイミングスクリュとエイミングナットが設けられる。図６はエイミング機構の概念構成を示しており、ランプボディ１０１と前面カバー１０２からなるランプハウジング１００内に光源（電球やＬＥＤ）１０３を支持したリフレクタ１０４を上下方向及び左右方向に傾動可能に支持し、当該リフレクタ１０４の上下方向及び左右方向の傾動角度を調整することによってエイミング調整を行っている。このようなリフレクタ１０４での傾動動作を実現するために、リフレクタ１０４の背後の１箇所に球継ぎ手構造の支点部１０５を配設するとともに、この支点部１０５とは別の箇所にそれぞれ上下方向と左右方向の調整を行うエイミング部を配設している。ここでは上下方向のエイミング部１０６を図示しているが、このエイミング部１０６ではランプボディ１０１にエイミングスクリュ１２０を軸転可能に保持し、このエイミングスクリュ１２０のネジ部１２１にリフレクタ１０４のブラケット１０９に支持したエイミングナット１０７を螺合させている。エイミングスクリュ１２０を軸転操作することによってエイミングナット１０７を前後方向に螺進させ、この螺進に伴う移動により支点部１０５を支点にしてリフレクタ１０４を上下方向、左右方向に傾動させている。
【０００３】
このエイミングナットとして、いわゆるセルフロッキングナットと称するナット部材が用いられることがある。例えば、特許文献１のセルフロッキングナットは、径方向に弾性を有する対をなす脚部を有しており、この脚部を図６に示したようにリフレクタ１０４のブラケット１０９に開口した嵌合穴１１０に嵌合して当該ブラケット１０９に支持させる。また、当該セルフロッキングナットの軸穴の内周面は雌ネジ部として構成され、前記したようなエイミングスクリュ１２０の雄ネジ部１２１に螺合される。この雌ネジ部はエイミングスクリュを螺合させる前は円周面として構成されているが、エイミングスクリュを軸転させながら軸穴に圧入状態に内挿することによって当該軸穴の内周面がエイミングスクリュの雄ネジ部によって削られて雌ネジとして形成されるものである。
【先行技術文献】
【特許文献】
【０００４】
【特許文献１】特開平９−１４２４４号公報
【発明の概要】
【発明が解決しようとする課題】
【０００５】
特許文献１のセルフロッキングナット（以下、単にナット部材と称する）は、雌ネジ部と嵌合部がナット部材の軸方向に重なった構成となっている。すなわち、雌ネジ部の外周位置に嵌合部が設けられている。そのため、ナット部材にエイミングスクリュ（以下、単にスクリュと称する）を圧入状態に内挿して螺合させたときに、雌ネジ部の軸穴の内周面がスクリュによって外径方向に膨らみ、この膨らみによって嵌合部の外径寸法が増加され、ブラケットの嵌合穴との間に設定している寸法上の余裕が無くなってしまう。そのため、ナット部材がスクリュの軸転に伴って軸方向に直線移動されてリフレクタが支点部を中心に傾動される際に、嵌合部と嵌合穴との間に必要とされている相対移動のための余裕がなくなり、両者間での円滑性が失われてスクリュを軸転させる際の操作力が増大するとともに、ナット部材がスクリュの雄ネジに沿って円滑に螺進移動され難くなり、結果としてエイミング調整の操作性が低下することになる。
【０００６】
また、特許文献１のナット部材では、ナット部材における所要の機械強度を確保する目的から雌ネジ部とその外周の嵌合部における径方向の肉厚寸法を所要の寸法以上に設計しているため、当該ナット部材を樹脂成形により製造したときに雌ネジ部の内周面あるいは嵌合部の外周面に「ひけ」が生じ易く、この「ひけ」によって雌ネジ部や嵌合部の寸法精度が低下し、これが前記したスクリュを螺合させたときのエイミング調整の操作性に影響を与えることになる。
【０００７】
さらに、特許文献１のナット部材は、スクリュが内挿される側の面には単に雌ネジ部を形成するための軸穴が開口されているのにすぎないため、スクリュの先端をナット部材の軸穴に挿入する作業が難しくなる。特に、リフレクタをランプハウジング内に組み込む際にはリフレクタの姿勢が高精度に所定の方向に向けられていないことが多いため、ナット部材の軸穴方向とスクリュの軸心方向を同一直線上に位置決めしてスクリュをナット部材に内挿することが難しくなり、エイミング機構を組み立てる際の作業性が悪くなる。
【０００８】
本発明の目的はエイミング調整の操作性を改善することが可能なナット部材を提供するものである。また、本発明の他の目的はエイミング機構を組み立てる際の作業性を改善することが可能なナット部材を提供するものである。
【課題を解決するための手段】
【０００９】
本発明は、対象物に設けた嵌合穴に嵌合される嵌合部と、スクリュが内挿されて当該スクリュの雄ネジ部に螺合される雌ネジ部とを備えるナット部材であって、嵌合部と雌ネジ部は当該ナット部材の軸方向の異なる位置に形成されていることを特徴とする。このスクリュは灯具のランプハウジング等の固定部材に軸転可能に支持されたエイミングスクリュとして構成され、ナット部材は当該灯具のリフレクタ等の傾動部材に支持されたエイミングナットとして構成されるものである。
【００１０】
ここで、嵌合部は嵌合穴に嵌合される嵌合溝を有し、当該嵌合溝の溝底面の内側に空洞が設けられることが好ましい。また、雌ネジ部のスクリュが内挿される側の端部に、当該スクリュの先端を案内するための逆錐面状をした導入部が設けられることが好ましい。
【発明の効果】
【００１１】
本発明によれば、雌ネジ部と嵌合部は軸方向にオフセットされた位置にあるので、スクリュが螺合されたときに雌ネジ部が外形方向に膨らんでスクリュを螺合する際の操作力がいたずらに増大することはない。その一方で、雌ネジ部が外形方向に膨らむ状態となっても、この膨らみが嵌合部に影響を与えることはなく、嵌合穴における嵌合部の嵌合状態を安定に保持することができる。これにより、ナット部材をエイミング機構に適用した場合には、スクリュの軸転の操作性を改善し、かつナット部材の移動に伴うリフレクタ等の対象物の傾動を円滑に行うことができ、結果としてエイミング調整の操作性を改善することができる。
【００１２】
また、本発明によれば、嵌合部を構成している嵌合溝の内側に空洞が設けられるので、嵌合穴に対して嵌合部が弾性的に当接する状態となり、嵌合穴と嵌合部との間に寸法誤差が生じている場合でも好適な嵌合状態が確保できるとともにナット部材の移動に伴う対象物の傾動を円滑なものにできる。さらに、雌ネジ部のスクリュが内挿される側の端部に、当該スクリュの先端を案内するための逆錐面状をした導入部が設けられるので、ナット部材にスクリュを内挿する作業が容易になる。
【図面の簡単な説明】
【００１３】
【図１】本発明のナット部材をセルフロッキングナットとして構成した形態の外観斜視図。
【図２】図１のナット部材を反対側から見た外観斜視図。
【図３】本発明のナット部材で図６の上下エイミング部を構成した形態の縦断面図。
【図４】ナット部材の軸方向の縦断面図。
【図５】ナット部材の嵌合溝の平面図とＢ−Ｂ線断面図。
【図６】エイミング機構を備えるランプの概略断面図。
【発明を実施するための形態】
【００１４】
次に、本発明の実施形態について図面を参照して説明する。図１は本発明をセルフロッキングナットとして構成した形態の外観斜視図、図２は当該セルフロッキングナット（以下、ナット部材と称する）１を反対側から見た外観斜視図である。このナット部材１は図６に示したナット部材１０７に対応するものであり、ランプハウジング１００内に内装されるリフレクタ１０４のブラケット１０９に開口した嵌合穴１１０に嵌合支持されるとともに、ランプハウジング１００のランプボディ１０１に軸転可能に支持されたエイミングスクリュ（以下、スクリュと称する）１２０に螺合される。このスクリュ１２０がランプハウジングの外部に露呈されているギア部１２２において軸転操作されたときに、ナット部材１は当該スクリュ１２０の軸方向に移動され、前記ブラケット１０９を介して支点部１０５を支点にしてリフレクタ１０４をランプの前後方向あるいは水平方向に傾動させ、当該ランプの光軸Ｌｘをエイミング調整する。
【００１５】
前記スクリュ１２０についての詳細な説明は省略するが、前記ナット部材１とで図６に示した上下エイミング部１０６を構成した形態の軸方向の縦断面図を図３に示すように、前記ランプボディ１０１に設けた円筒状の支持穴１０８に内挿される支持部１２３を有しており、この支持部１２３よりも先端側の部位にわたって雄ネジ部１２１が形成され、当該支持部１２３の後端側の前記ランプボディ１０１の外側に露呈されている部位には軸転操作するためのギア部１２２が形成されている。また、スクリュ１２０には前記支持部１２３の前端部位に後方に向けて拡径した羽根状の一対の弾性係止片１２４が設けられており、スクリュ２０をランプボディ１０１の外側から前記支持穴１０８に内挿したときに当該係止片１２４の後端部が支持穴１０８の内縁に弾接係合することによって支持部１２３を支持穴１０８内に係止させている。
【００１６】
図４は前記ナット部材１の軸方向の縦断面図であり、図１ないし図４を参照すると、当該ナット部材１は、前記スクリュ１２０の雄ネジ部１２１が螺合される雌ネジとして形成される雌ネジ部２と、当該ナット部材１を前記リフレクタ１０４のブラケット１０９に設けた嵌合穴１１０に嵌合させて当該ブラケット１０９に支持させるための嵌合部３を備えている。また、この実施形態ではさらに前記スクリュ１２０を当該ナット部材１に内挿する際に、当該スクリュ１２０の先端を前記雌ネジ部２に導き入れるための導入部４を備えており、これら雌ネジ部２、嵌合部３、導入部４の各部が樹脂材料により一体成形されている。なお、以降の説明における上下方向および左右方向は図３および図４を基準にしたものとする。
【００１７】
前記雌ネジ部２は前記ナット部材１の軸方向の一部領域に形成されて前記スクリュ１２０が前端側から内挿可能な軸穴２１を有する短円筒状に形成されるとともに、この軸穴２１の円筒状をした内周面２２は円周方向に等配されて軸方向に延びる複数本、ここでは４本の条溝２３が形成されて円周方向に分割された内周面として構成されている。この雌ネジ部２は、後述するように前記スクリュ１２０が軸転されながら軸穴２１に圧入状態に内挿されたときに、当該スクリュ１２０の雄ネジ部１２１によって前記内周面２２の表面が螺旋状に削られて雌ネジとして形成されるものである。前記条溝２３はスクリュ１２０が内挿されるときの内周面２３との接触抵抗を低減し、スクリュ１２０の内挿を容易にするとともに、雌ネジを形成する際におけるスクリュ１２０の軸転を容易にするために設けられている。
【００１８】
前記導入部４は前記雌ネジ部２の右側の一端から軸方向に沿って突出され、その突出先端側が連続的に拡径するように突出されたラッパ状、すなわち逆円錐状に形成されている。この逆円錐型に形成された当該導入部４の円錐頂角は、ナット部材１の外形寸法をいたずらに大きくすることがない範囲でなるべく大きな角度に設定している。この実施形態では、８０度〜９０度の角度に設定している。また、導入部４の突出先端側の円形をした先端縁４１の外径寸法についてもナット部材１の外形寸法をいたずらに大きくすることがない範囲でなるべく大きな径寸法、少なくとも嵌合部３の外形寸法よりも大きな径寸法に設定している。この実施形態では雌ネジ部２の内径寸法の４倍程度、換言すれば前記スクリュ１２０の雄ネジ部１２１の外径寸法の４倍程度の径寸法に設定している。さらに、前記導入部４の逆円錐型をした内側逆錐面の基部、すなわち前記雌ネジ部２に連絡する部位では、当該逆錐面は前記雌ネジ部２の内周面２２に対して滑らかに連続する構成とされている。なお、この導入部４を構成する錐面は角錐面であってもよい。
【００１９】
前記嵌合部３は前記雌ネジ部２の軸方向の左側の他端部位に形成されている。この嵌合部４は前記雌ネジ部２の他端位置に設けられたフランジ３１と、このフランジ３１を基端部として前記他端方向に向けて軸方向に延出されて上下方向に対向する一対の脚片３２を備えている。前記フランジ３１は後述する説明から分かるように、前記ブラケット１０９に設けた嵌合穴１１０からの脱落を防止するために、当該嵌合穴１１０の開口寸法よりも大きな外形寸法をした正方形に近い矩形板として形成されている。また、このフランジ３１の中心部位は前記雌ネジ部２の軸穴２１が貫通されており、前記スクリュ１２０の内挿を可能にしている。
【００２０】
前記一対の脚片３２はナット部材１の他端側から軸方向に形成された楔状の切欠き３３によって上下方向に対向配置されており、右側に向けられた基端部において前記フランジ３１に連結されるとともに、各脚片３２は当該基端部を支点にしてそれぞれ上下方向に弾性変形できるようにされている。これらの脚片３２はナット部材１の軸方向から見たときの外形状が概ね前記ブラケット１０９に開口した嵌合穴１１０の形状と同じ形状で、上下方向については当該嵌合穴１１０の開口寸法よりも若干大きな外形寸法となるように形成されている。また、各脚片３２は前記切欠き３３の先端が前記雌ネジ部２の軸穴２１にまで達していることにより、それぞれが内側に弾性変形されたときには当該雌ネジ部２の内周面２２の他端側の一部を狭めてセルフロッキング機能を発揮させるものである。
【００２１】
前記各脚片３２の上下方向に向けられている外側面の基端部側の領域にはそれぞれ内側に向けて所要の深さに凹設した嵌合溝３４ｕ，３４（以下、上下の嵌合溝を符号３４で総称することもある）が形成されている。これらの嵌合溝３４ｕ，３４ｄは前記雌ネジ部２に対して左側の他端方向にずれた部位、換言すれば雌ネジ部２に対して前記導入部４とは軸方向の反対側にオフセットした部位に形成されている。ここでは図４に示すように、寸法Δだけオフセットしている。これら上下の嵌合溝３４ｕ，３４ｄのうち、上側の嵌合溝３４ｕはナット部材１の軸方向には前記ブラケット１０９の嵌合穴１１０の内縁部１１１を構成している前記ブラケット１０９の板厚寸法にほぼ等しい寸法に形成されているが、下側の嵌合溝３４ｄはそれよりも多少大きい寸法に形成され、軸方向と直交する方向にはナット部材１の全幅にわたって形成されている。また、前記各脚部３２には前記嵌合溝３４の内側の領域に幅方向に貫通する空洞３５が形成されており、この空洞３５によって前記嵌合溝３４の内底面は板厚方向に弾性を有する板状の嵌合板部３６として構成されている。なお、このように空洞３５を設けることにより、各脚部３２における樹脂の体積を低減することができ、ナット部材１を樹脂成形したときの嵌合部３での「ひけ」の発生を抑制して寸法精度の高いナット部材を形成することが可能になる。
【００２２】
前記嵌合板部３６は、図５（ａ），（ｂ）に平面図とそのＢ−Ｂ線断面図を示すように、軸方向の中央部分が外側に幾分膨らむように湾曲された断面形状とされている。ここではナット部材１の軸心上の一部を中心とした円弧面を幅方向に延長した円筒面の一部として形成されている。また前記嵌合溝３４は、前記嵌合板部３６と、軸方向に対向している一対の立壁３７，３８によって形成されているが、この嵌合溝３４の幅方向の中央部分では軸方向の寸法が狭く、幅方向の両側部分の寸法が中央部分よりも大きい鼓型に形成されている。この中央部分の寸法はここでは上下において相違しているが、上側の嵌合溝３４においては前記嵌合穴１１０の内縁部１１１の板厚寸法にほぼ等しい寸法である。さらに、嵌合板部３６と前記立壁部３７，３８とが連結される連結面部３７ａ，３８ａは軸方向の断面形状が緩やかな曲線形状に形成されている。これらの連結面部３７ａ，３８ａは特に上側の嵌合溝３４ｕに設けられることが好ましい。
【００２３】
この構成のナット部材１は、図６に示したようなエイミング機構の組み立てに際しては、リフレクタ１０４のブラケット１０９に設けられた嵌合穴１１０に一対の脚片３２が挿入されると、図３に示すように脚片３２の嵌合溝３４が当該嵌合穴１１０の内縁部１１１に嵌合される。脚片３２の挿入時には脚片３２は基端部を支点にして内側に弾性変形されて嵌合穴１１０の内縁部１１１を挿通し、挿通後は外側に弾性復帰することで当該内縁部１１１に嵌合され、その弾性復帰力によってブラケット１０９に保持される。嵌合溝３４の嵌合板部３６は空洞３５によって径方向に弾性変形が可能とされているので、嵌合板部３６は当該弾性変形による弾性力を持って嵌合穴１１０の内縁部１１１に当接することになり、嵌合穴１１０と嵌合溝３４との間に多少の寸法誤差が生じている場合でも好適な嵌合状態が確保でき、ナット部材１を嵌合穴１１０内に安定した状態で保持することができる。
【００２４】
次いで、図６に示したように、このリフレクタ１０４をランプハウジング１００内に配設した上で、ランプハウジング１００の後方から挿通させたスクリュ１２０の先端をナット部材１の雌ネジ部２の軸穴２１に内挿させて行くが、ナット部材１の一端側に設けた導入部４が逆円錐状に形成されているので、スクリュ１２０の内挿に伴ってスクリュ先端は導入部４の内面に当接され、この内面の逆円錐面形状に案内されながら進行される。この結果、スクリュ１２０の先端はナット部材１の中心位置に向けて案内され、雌ネジ部２の軸穴２１に導かれる。したがって、リフレクタ１０４をランプジウジング１００内に配設する際に多少の位置ずれが生じていても、この位置ずれ寸法が導入部４の先端縁４１の径寸法内であれば、スクリュの１２０先端を確実に雌ネジ部２の軸穴２１に導き、スクリュ１２０を雌ネジ部２に内挿させることができる。そして、スクリュ１２０のギア部１２２を回転操作してスクリュ１２０を軸転すると、スクリュ１２０の雄ネジ部１２１はナット部材１の雌ネジ部２にまで進入され、このとき当該雄ネジ部１２１は雌ネジ部２の内周面２２に雌ネジを形成しながら進行される。これにより、スクリュ１２０の雄ネジ部１２１はナット部材１の雌ネジ部２に螺合した状態となり、エイミング部の組み立てが完了される。
【００２５】
ここで、スクリュ１２０の雄ネジ部１２１がナット部材１の雌ネジ部２に螺合して行く際に、雄ネジ部１２１は雌ネジ部２内に圧入状態で内挿されるため、ナット部材１の雌ネジ部２は外径方向に膨らむように変形され、当該雌ネジ部２の外径寸法が幾分増加されることになる。このとき、雌ネジ部２は嵌合部３、特に嵌合溝３４とは軸方向にオフセットされた位置にあるので、当該雌ネジ部２の外径寸法の増加によっても嵌合板部３６が嵌合穴１１０の内縁部１１１に当接する力が増大するようなことはない。このことは、換言すればスクリュ１２０を内挿する際に雌ネジ部２は自由に外径方向に膨らむことが可能になることであり、スクリュ１２０を内挿する際の操作力がいたずらに増大することはない。
【００２６】
また、このように雌ネジ部２と嵌合溝３４とが軸方向にオフセットしていることにより、スクリュ１２０をナット部材１に内挿して雌ネジ部２の外径寸法が増大しても嵌合穴１１０の内縁部１１１と嵌合板部３６との当接力が増大することはなく、嵌合穴１１０と嵌合溝３４の嵌合における両者の相対移動の自由度は確保される。その一方で、嵌合穴１１０と嵌合溝３４の嵌合によって一対の脚片３２は内側に向けて弾性的に押圧されるので、脚片３２の基端部において雌ネジ部２の軸穴寸法が縮小される。これにより、スクリュ１２０の雄ネジ部１２１に対して雌ネジ部２を内径方向に押圧し、セルフロッキング機能が発揮される。
【００２７】
そして、スクリュ１２０を軸転することにより雄ネジ部１２１に対するナット部材１の雌ネジ部２の螺合位置が変化され、これに伴ってナット部材１はスクリュ１２０に対して軸方向に移動され、この移動によりブラケット１０９、すなわちリフレクタ１０４を支点部１０５を支点として傾動させることになる。このとき、ナット部材１はスクリュ１２０の軸方向に沿った方向に直線移動され、リフレクタ１０４は支点部１０５を中心にした円弧方向に移動されるため、両者間には微小な相対移動ができるようにする必要がある。ここでは、ナット部材１の嵌合溝３４の嵌合板部３６が嵌合穴１１０の内縁部１１１に対して空洞３５による弾性力を持って嵌合されているので、ナット部材１は嵌合穴１１０内において嵌合板部３６の板厚方向に相対移動されることになり、当該板厚方向、すなわち上下方向の相対移動は許容される。また、嵌合穴１１０の内縁部１１１に当接している嵌合板部３６は円筒面に形成されているので、ナット部材１は嵌合穴１１０内において円筒面の円弧方向に相対傾動され、上下方向、すなわちリフレクタ１０４の傾動方向の相対傾動も許容される。
【００２８】
さらに、嵌合溝３４は平面形状が鼓状をしているので、ナット部材１は嵌合穴１１０の内縁部１１１に対して嵌合溝３４の平面方向に相対的に傾動することも可能であり、当該平面方向、すなわち図５（ａ）に矢印で示す左右方向の相対傾動を許容する。その一方で、嵌合溝３４は幅方向の中央が狭い鼓状であるので、ナット部材１が嵌合穴１１０に対して水平方向に相対傾動したときでも、嵌合穴１１０の内縁部１１１は嵌合溝３４の幅方向の中央を支点にして相対傾動するため、スクリュ１２０の軸方向におけるナット部材１と嵌合穴１１０との相対位置は一定に保たれる。また、嵌合穴１１０の内縁部１１１と嵌合板部３６との当接位置が変化しても、図５（ｂ）のように、嵌合板部３６の両端部に設けられている緩やかな曲線形状をした連結面部５７ａ，５８ａにより嵌合穴１１０の内縁部１１１が滑るように当接されるため、両者間での円滑な相対傾動、すなわち同図に矢印で示すようにナット部材１の上下方向の相対傾動が確保できる。なお、図には表れないが下側の嵌合溝３４ｄは内縁部１１１よりも幅寸法が大きくされているので内縁部１１１は嵌合溝３４ｄ内で移動されることが可能であり、当該相対傾動を可能にする。
【００２９】
このように、ナット部材１はリフレクタ１０４に対して左右方向、上下方向の相対傾動が可能であり、ナット部材１の直線移動によってもリフレクタ１０４を円滑に傾動させながら可及的に小さい操作力によってスクリュ１２０の内挿が実現でき、エイミング機構の組み立ての作業性が向上できる。
【００３０】
また、このようなスクリュ１２０の内挿を可能とすることにより、エイミング調整時におけるスクリュ１２０の軸転操作に際してもナット部材１の円滑な螺進とリフレクタ１０４の円滑な傾動を可能にし、結果として円滑かつ低操作力でのエイミング調整が実現できる。すなわち、説明が一部重複するが、図６において、スクリュ１２０のギア部１２２をドライバ（ネジ回し）等の治具Ｄで回転操作してスクリュ１２０を軸転させることにより、雄ネジ部１２１に螺合しているナット部材１をスクリュ１２０の軸方向に移動させる。このナット部材１の移動により当該ナット部材１に嵌合しているリフレクタ１０４のブラケット１０９がスクリュ１２０の軸方向に移動され、当該リフレクタ１０４は支点部１０５を中心にして傾動され、ランプ光軸Ｌｘを傾動させてエイミング調整が実現できる。このリフレクタ１０４の傾動に際して、前記したようにナット部材１の嵌合溝３４の構成によってナット部材１の直線移動とリフレクタ１０４の傾動との間の相対移動を許容することにより、ナット部材１とリフレクタ１０４との間における負荷の発生を抑制し、スクリュ１２０の円滑な軸転とリフレクタ１０４の円滑な傾動を可能とし、操作性の高いエイミング調整が実現できる。
【００３１】
実施形態では、リフレクタを上下方向に傾動してエイミング調整する場合について説明したが、水平方向に傾動してエイミング調整する場合、あるいはこれらとは異なる方向に傾動してエイミング調整する場合についても同様である。いずれの場合でも、ナット部材をリフレクタに嵌合支持させる際にはナット部材の下側、すなわち嵌合溝の幅寸法が大きい側をリフレクタの傾動支点側に向けた状態で嵌合させればよい。また、実施形態では嵌合部に一対の脚片を設けているが、径方向に弾性変形して嵌合穴に嵌合される構成であれば、脚片の数はこれに限定されるものではない。特に、嵌合穴の形状に対応して適宜の形状、数に構成できる。また、嵌合溝についても、嵌合穴の形状に対応させて適宜の構成とすることができる。
【００３２】
実施形態では本発明のナット部材をセルフロッキングナットに適用しているが、予め雌ネジ部を形成しているナット部材であっても、樹脂成形等によって形成され、スクリュを内挿することによって雌ネジ部が外径方向に膨らむナット部材であれば本発明を適用することが好ましい。
【産業上の利用可能性】
【００３３】
本発明はエイミング機構を備えた車両用灯具に用いられるセルフロッキングナット等のナット部材に採用することが可能である。
【符号の説明】
【００３４】
１  セルフロッキングナット（ナット部材）
２  雌ネジ部
３  嵌合部
４  導入部
２１  軸穴
２２  内周面
３１  フランジ
３２  脚片
３４（３４ｕ，３４ｄ）  嵌合溝
３５  空洞
３６  嵌合板部
３７，３８  立壁
１００  ランプハウジング
１０１  ランプボディ
１０２  前面カバー
１０３  光源
１０４  リフレクタ
１０５  支点部
１０６  エイミング部
１０７  ナット部材
１０８  支持穴
１０９  ブラケット
１１０  嵌合穴
１２０  エイミングスクリュ
１２１  雄ネジ部
【図１】
2014032742.tif 000003
【図２】
2014032742.tif 000004
【図３】
2014032742.tif 000005
【図４】
2014032742.tif 000006
【図５】
2014032742.tif 000007
【図６】
2014032742.tif 000008